(57)【要約】【課題】前歯の領域で、および横方向領域、すなわち周縁組織で、ならびに水平方向および鉛直方向の咬翼撮像ですべての使用可能なデジタル・センサによる放射線写真を可能にし、一方で良好な位置決めを、他方で患者にとって最大の快適性を提供する、１組のセンサ・ホルダを提供すること。【解決手段】１つの変位可能なアームを備える、歯科用デジタル・センサのためのホルダ・セットであって、歯根尖端部放射線写真、および横および前歯の放射線写真などの、それぞれの種類の放射線写真のために、各ホルダ（３２）が、すべてのセンサ・フォーマットに対して使用され、センサ・クランプ（２２）が、そのフォーマットとは独立にセンサをグリッパ（２４、２４Ａ）を押圧するための締結顎部（２５）を備えることを特徴とする、ホルダ・セット。【選択図】図６
2010119887.tif 000002
【特許請求の範囲】
【請求項１】
１つの変位可能なアームを備える、歯科用デジタル・センサのためのホルダであって、歯根尖端部放射線写真、および横および前歯の放射線写真などの、それぞれの種類の放射線写真のために、前記ホルダ（３２）が、すべてのセンサ・フォーマットに対して使用され、センサ・クランプ（２２）が、そのフォーマットとは独立にセンサをグリッパ（２４、２４Ａ）に対し押圧するための締結顎部（２５）を備えることを特徴とする、ホルダ。
【請求項２】
締結顎部（２５）が、締結顎部がロッキング部分を一方向に変位させることによって上昇されるようにロッキング部分（２８）の傾斜平面（２９）と協働する傾斜平面（３０）を備えることを特徴とする、請求項１に記載のホルダ。
【請求項３】
両傾斜平面が歯（３１）を備えることを特徴とする、請求項２に記載のホルダ。
【発明の詳細な説明】
【技術分野】
【０００１】
本発明は、請求項１のプリアンブルによる歯科用デジタル・センサのためのホルダ・セットに関する。
【背景技術】
【０００２】
最近まで、放射線写真は、放射線に曝され、次いで現像されるＸ線フィルム上に記録されていた。この種のＸ線フィルムは、標準フォーマットを決定されているため、Ｘ線フィルムを受けるように意図された締結部分のホルダそれぞれのサイズもまた標準化されている。現在まで、このようなＸ線フィルム・ホルダに関する主な問題点は、咬翼のおよび歯のその他の部分の放射線写真を、最小数の異なったホルダで可能にする一方で、フィルム・フォーマットを大部分、横方向または長手方向に締結することであった。
【０００３】
近年、デジタル画像センサをケーブルによってコンピュータに直接接続して、放射線写真をコンピュータ上に直接表示または格納する、新しい撮影技術が開発された。
【０００４】
Ｘ線フィルムとは対照的に、様々なデジタル・センサ製品は、長さ、幅および厚さに関して様々な寸法を有する。さらに、この種のセンサは、ケーブルを備え、それによって、このようなセンサの正確な位置決めを問題の多いものにしている。
【０００５】
様々なフォーマットの保持を可能にするようにホルダ・アームが伸長可能であるセンサ・ホルダを開示している、たとえばＵＳ−Ａ−６，２０３，１９５などによって、いくつかのセンサ・ホルダがすでに公知である。様々なフォーマットを使用することがここで示唆されているが、このホルダを普遍的に適用することは、その構造によって制限されている。
ＷＯ／４９  ９４５は、様々な寸法のセンサを取り付けるためにホルダ・アームが伸長可能である別のセンサを開示している。ここではまた、構造は、大部分の多様なセンサを普遍的に適用することを許すものではない。
【先行技術文献】
【特許文献】
【０００６】
【特許文献１】ＵＳ−Ａ−６，２０３，１９５
【特許文献２】ＷＯ／４９  ９４５
【発明の概要】
【発明が解決しようとする課題】
【０００７】
この従来技術を背景にして、本発明の目的は、前歯の領域で、および横方向領域、すなわち周縁組織で、ならびに水平方向および鉛直方向の咬翼撮像ですべての使用可能なデジタル・センサによる放射線写真を可能にし、一方で良好な位置決めを、他方で患者にとって最大の快適性を提供する、１組のセンサ・ホルダを提供することである。
【課題を解決するための手段】
【０００８】
この目的は、請求項１から請求項３によるホルダ・セットによって達成される。
【０００９】
本発明を例示的な実施例の図を参照して以下により詳細に説明する。
【図面の簡単な説明】
【００１０】
【図１】歯根尖端周囲の放射線写真を意図したホルダの締付部分の第１の例示的な実施例を示す図である。
【図２】図１の締付部分の詳細図である。
【図３】鉛直方向に配置されたセンサを備える図１の締結部分を示す図である。
【図４】カバーのない咬翼撮像を意図したホルダの締付部分の第２の例示的な実施例を示す図である。
【図５】反対側から見た図４の締付部分を示す図である。
【図６】歯根尖端周囲の撮像を意図したホルダのための締付部分の別の例示的な実施例の部分断面図である。
【図７】図６の締付部分の側面図である。
【図８】図６の詳細図である。
【実施例】
【００１１】
図１から３は、保持ストリップを有する２つのアームが自分を中心とするようにして移動する、ホルダのセンサ・クランプの第１の例示的な実施例を示している。ホルダ２のセンサ・クランプ１は、それぞれの軸４および４Ａに蝶着された２つのアーム３および３Ａを備え、また、レバーが図２の下向きに枢動され、それにしたがってアームが内側に揺動するようにしてカム・シャフト６によって駆動されるそれぞれの傾斜レバー５、５Ａを備える。カム・シャフトは、アームをロック解除するロッキング・レバー７の動作下にあり、それによってアームは開位置へ揺動する。カム・シャフトおよびレバーは、包囲部８内に配置されている。
【００１２】
このホルダは、前歯の歯根尖端部分の放射線写真に特に適しており、ケーブル１０を備えるデジタル・センサ９が横方向に締結され、アームが横方向の空間をほとんど必要としないように設計されていることが、図３で明らかになっている。また、センサ・クランプはセンサ９の上方に突き出していないことが図３で明らかになっている。
【００１３】
図１または３は、その構造原理がＥＰ−Ｂ−３９７  ５９９によるホルダの構造原理と類似しているホルダ２の部分１１を示している。このように、咬合部片およびクランク形インジケータ・ロッドは、前述の欧州特許と同一または同様であるが、ばね駆動されるＸ線フィルム・クランプが図１の締結部分１と置き換えられている。
【００１４】
図４および５は、Ｘ線クランプの代わりにセンサ・クランプを備える咬翼放射線写真用ホルダを示している。咬翼放射線写真用Ｘ線フィルム・ホルダは、当技術分野で公知であり、特に、本発明の出願者によって長い間販売されている。したがって、クランク形インジケータ・ロッドなどの図４および５で示されていない、または完全に示されていない部品は詳細には説明しない。図１から３によるセンサ・クランプ１と同様に、アームもまた対称的に運動し、したがって、センサが、センサの寸法のかかわらず同じようにＸ線チューブに対してインジケータ・ロッドそれぞれと常にアラインメントされる。
【００１５】
図４では、センサ・クランプ１２が、そのカバーなしで概略的に示されており、グリッパ１４および１４Ａを備える２つのアーム１３および１３Ａを見ることができる。アームは、歯付きラック１５および１５Ａを備える曲線部分によって追従される。２つの歯付きラックは、互いに噛合している。また、図４では、インジケータ・ロッド１６が見られる。歯付きラックの運動は、キャッチ１７の影響を受ける。キャッチ１７は、アームがそれらの得た任意の位置を維持するように自分でロックする。また、キャッチは、復元ばね１８を備え、それによって、キャッチの一端が曲線状の歯付きラックの１つに継続的に作用し、したがってセルフ・ロッキング動作を提供する。キャッチは、枢軸１９上を回転する。
【００１６】
曲線状の歯付きラックを用いた解決法によって、全体の広がりおよびロック機構の極めてスリムな設計が可能になり、それによって咬合部片２０の極めてスリムな設計が可能になる。咬合部片２０は、機構の包囲部によって形成され（図５参照）、それによって、ホルダ全体は、前歯ホルダよりも患者にとって快適になる。それぞれのアーム、グリッパを有する締結顎部は、いかなるセンサの幾何形状をも収容するように設計されている。すなわち、図５で明確にわかるように、角柱形状を有する。
【００１７】
実施例の一変形形態では、ラバー・パッド２１が、グリッパ１３、１３Ａ上に差し込まれている。この目的のために、グリッパが、ラバー・パッドを保持するための構造を有することが有用である。
【００１８】
図６から８には、臼歯（前歯）用の歯根尖端センサ・ホルダの第２の実施例が、図示されおり、センサが、前に例示した実施例のように横方向に把持される代わりに底部から上へ締結されている。
【００１９】
センサ・クランプ２２は、前の例のように同じホルダ上に取り付けられている。すなわち、プレートが咬合部片に直接隣接して取り付けられている。センサ・クランプは、センサを保持するように意図された、２つの一体形成グリッパ２４、２４Ａを備える壁２３を備える。クランプの下側部分には、センサを締結するために矢印２６にしたがって上向きに変位することができる締付顎部２５が配置されている。ロッキング・ノブ２７が、ロッキング部分２８上に設けられており、ロッキング部分２８は、締結顎部２５のもう１つの傾斜平面３０を駆動する傾斜平面２９を備える。
【００２０】
ロッキング部分２８が図中の右から左へ移動すると、締結顎部は、上向きに押圧される。図８に示すように、傾斜平面２９および３０は両方、締結顎部が調整された位置に留まるように２つの傾斜平面の互いの上でのいかなる運動も禁止する小さい歯３１を備える。セルフ・ロッキング機構は、接着に打ち勝つ開放動作によって解放される。この締結機構は、空間を節約し、したがって、ホルダはスリムであり、邪魔にならない。
【００２１】
図７は、このセンサ・クランプを、通常のフィルム・クランプの代わりに従来技術のホルダ上に配置することができることをさらに示している。インジケータ・ロッド３３の一部が、ホルダ３２の図に表されている。締結機構は、包囲３４内に収容される。
【００２２】
本発明のすべてのセンサ・クランプの共通点は、衛生的なパウチなどの保護袋で問題なく正確に保持することを可能にすること、およびセンサとＸ線チューブの間に他のプラスチック材料が存在しないことである。また、説明により明らかなように、センサ・クランプは、すべての寸法のセンサを保持することを可能にする。センサが、アームを常に開放して、センサを受けて次にセンサを保持するとき、クランプに押し込まれるのではなく常に締結されていることが、さらに説明からわかる。
【符号の説明】
【００２３】
１  センサ・クランプ
２、１２、３２  ホルダ
３、３Ａ、１３、１３Ａ  アーム
４、４Ａ  軸
５、５Ａ  傾斜レバー
６  カム・シャフト
７  ロッキング・レバー
８  包囲部
９  デジタル・センサ
１０  ケーブル
１１  部分
１４、１４Ａ  グリッパ
１５、１５Ａ  歯付きラック
１６  インジケータ・ロッド
１７  キャッチ
１８  復元ばね
１９  枢軸
２０  咬合部片
２１  ラバー・パッド
２２  センサ・クランプ
２３  壁
２４、２４Ａ  一体形成グリッパ
２５  締付顎部
２６  矢印
２７  ロッキング・ノブ
２８  ロッキング部分
２９、３０  傾斜平面
３１  歯
３３  インジケータ・ロッド
３４  包囲
【図１】
2010119887.tif 000003
【図２】
2010119887.tif 000004
【図３】
2010119887.tif 000005
【図４】
2010119887.tif 000006
【図５】
2010119887.tif 000007
【図６】
2010119887.tif 000008
【図７】
2010119887.tif 000009
【図８】
2010119887.tif 000010